(57)【要約】【課題】ケース本体内に高さの高い展示品を収容しても、これを、天井の高さ等に制約されることなく、容易に取り出して交換し得るようにした展示ケースを提供する。【解決手段】基台３に、ケース本体７を基台３の上方において昇降させる第１の昇降手段３２と、展示台４を基台３の上面から下方において昇降させる第２の昇降手段３４とを設けるとともに、基台３の少なくとも１面の化粧パネル２を、開閉可能に取付ける。【選択図】  図３
2010104612.tif 000002
【特許請求の範囲】
【請求項１】
床面に設置され、周囲が化粧パネル等により覆われた基台と、該基台の上部に載置された展示台と、該展示台上に形成した展示空間の周面を、透光性のパネルにより覆ってなるケース本体とを備える展示ケースにおいて、
前記基台に、前記ケース本体を基台の上方において昇降させる第１の昇降手段と、前記展示台を基台の上面から下方において昇降させる第２の昇降手段とを設けるとともに、前記基台の少なくとも１面の化粧パネル等を、開閉または取り外し可能としたことを特徴とする展示ケース。
【請求項２】
基台が、ケース本体を支持するとともに、四隅部に第１の昇降手段を設けた外側基台と、該外側基台の内部に設けられ、外側基台の上面よりも下方において展示台を支持し、かつ四隅部に第２の昇降手段を設けた内側基台とからなるものとしたことを特徴とする請求項１に記載の展示ケース。
【請求項３】
外側基台における開閉または取り外し可能とした化粧パネルが装着された側の上端部の上部フレームを、化粧パネル側に向かって平面視コ字形をなす形状としたことを特徴とする請求項２に記載の展示ケース。
【請求項４】
第１の昇降手段及び第２の昇降手段を、油圧シリンダとしたことを特徴とする請求項１ないし３のいずれかに記載の展示ケース。
【請求項５】
展示台の外周面とケース本体の内周面とのいずれか一方に、それらの間の隙間を密封するシール部材を設けたことを特徴とする請求項１ないし４のいずれかに記載の展示ケース。
【請求項６】
展示台を、ケース本体の下端部内に嵌挿し得るようにし、かつシール部材を、展示台の下端部の外周面に、ケース本体の下面と接触するように設けたことを特徴とする請求項５に記載の展示ケース。
【請求項７】
展示台の下端部の外周面に、外向きのフランジ片を突設し、このフランジ片の上面にシール部材を取り付けたことを特徴とする請求項６に記載の展示ケース。
【発明の詳細な説明】
【技術分野】
【０００１】
本発明は、美術館や博物館等で使用される展示ケースに関する。
【背景技術】
【０００２】
この種の展示ケースの中には、例えば展示台に載置された展示品の交換作業等を容易に行い得るように、ケース本体を基台の上方において昇降可能としたものや（例えば、特許文献１〜３参照）、あるいは、ケース本体の一面を扉として開閉しうるようにしたものなどがある（例えば、特許文献４参照）。
【０００３】
【特許文献１】特公平６−２０８７号公報
【特許文献２】特許第３３４４３７５号公報
【特許文献３】特開２００２−１７５２１号公報
【特許文献４】特許第３３３６４８４号公報
【発明の開示】
【発明が解決しようとする課題】
【０００４】
上記特許文献１〜３に記載されている展示ケースにおいては、いずれも、ケース本体を昇降可能とし、展示品を交換する際には、ケース本体を上昇させるものであるため、展示室の天井の高さや照明器具等の有無などにより、ケース本体の最大上昇高さが制限され、ケース本体内に高さの高い展示物を収容した際に、その交換作業が困難となる。
【０００５】
特許文献４に記載の展示ケースにおいては、ケース本体の１面が開閉可能な扉となっているので、上記のような問題が発生することはない。しかし、扉の開閉機構が複雑であるとともに、扉とケース本体とのシール構造も複雑となる問題がある。
【０００６】
本発明は、上記問題点を解決するためになされたもので、ケース本体内に高さの高い展示品を収容しても、これを、天井の高さ等に制約されることなく、容易に取り出して交換し得るようにし、かつ気密性の高い展示ケースを提供することを目的としている。
【課題を解決するための手段】
【０００７】
上記課題を解決するために、本発明の請求項１に記載の展示ケースは、
床面に設置され、周囲が化粧パネル等により覆われた基台と、該基台の上部に載置された展示台と、該展示台上に形成した展示空間の周面を、透光性のパネルにより覆ってなるケース本体とを備える展示ケースにおいて、
前記基台に、前記ケース本体を基台の上方において昇降させる第１の昇降手段と、前記展示台を基台の上面から下方において昇降させる第２の昇降手段とを設けるとともに、前記基台の少なくとも１面の化粧パネル等を、開閉または取り外し可能としたことを特徴としている。
この特徴によれば、第１の昇降手段を作動させて、ケース本体を上昇させるとともに、第２の昇降手段を作動させて、展示台を下降させることにより、ケース本体の下端と展示台の上面との間を大きく開放することができる。また、基台の少なくとも１面の化粧パネル等を、開閉または取り外し可能としてあるので、ケース本体内に高さの高い展示品を収容しても、これを天井の高さ等に制約されることなく、容易取り出して交換することができる。
【０００８】
本発明の請求項２に記載の展示ケースは、請求項１に記載の展示ケースであって、
基台が、ケース本体を支持するとともに、四隅部に第１の昇降手段を設けた外側基台と、該外側基台の内部に設けられ、外側基台の上面よりも下方において展示台を支持し、かつ四隅部に第２の昇降手段を設けた内側基台とからなるものとしたことを特徴としている。
この特徴によれば、基台は、外側基台と内側基台とからなり、それらに第１の昇降手段と第２の昇降手段を設けているので、基台が安定するとともに、第１の昇降手段及び第２の昇降手段により、それぞれケース本体と展示台を安定的に支持することができる。
【０００９】
本発明の請求項３に記載の展示ケースは、請求項２に記載の展示ケースであって、
外側基台における開閉または取り外し可能とした化粧パネルが装着された側の上端部の上部フレームを、化粧パネル側に向かって平面視コ字形をなす形状としたことを特徴としている。
この特徴によれば、開閉または取り外し可能とした化粧パネル等が装着された側の上端部の上部フレームを、化粧パネル側に向かって平面視コ字形をなす形状としたことにより、展示台に載置された展示品を、外側基台の上端部より、開閉または取り外し可能とした化粧パネル側に容易に取り出すことができる。
【００１０】
本発明の請求項４に記載の展示ケースは、請求項１ないし３のいずれかに記載の展示ケースであって、
第１の昇降手段及び第２の昇降手段を、油圧シリンダとしたことを特徴としている。
この特徴によれば、昇降手段の設置スペースが小さくて済むとともに、重量のあるケース本体や展示品であっても、油圧シリンダにより支障なく昇降させることができる。
【００１１】
本発明の請求項５に記載の展示ケースは、請求項１ないし４のいずれかに記載の展示ケースであって、
展示台の外周面とケース本体の内周面とのいずれか一方に、それらの間の隙間を密封するシール部材を設けたことを特徴としている。
この特徴によれば、ケース本体及び展示台を昇降可能としたにも拘わらず、展示ケースの使用状態において、展示空間の気密性が保持されるので、展示品の保存環境が向上する。
【００１２】
本発明の請求項６に記載の展示ケースは、請求項５に記載の展示ケースであって、
展示台を、ケース本体の下端部内に嵌挿し得るようにし、かつシール部材を、展示台の下端部の外周面に、ケース本体の下面と接触するように設けたことを特徴としている。
この特徴によれば、ケース本体の下部内周面と展示台の外周面との間の隙間が、展示台の下端部の外周面に設けたシール部材により確実に密封される。
【００１３】
本発明の請求項７に記載の展示ケースは、請求項６に記載の展示ケースであって、
展示台の下端部の外周面に、外向きのフランジ片を突設し、このフランジ片の上面にシール部材を取り付けたことを特徴としている。
この特徴によれば、シール部材を、ケース本体の下面に確実に接触させうるので、展示空間の気密性がより向上する。
【発明を実施するための最良の形態】
【００１４】
本発明に係る展示ケースを実施するための最良の形態を実施例に基づいて以下に説明する。
【実施例１】
【００１５】
以下、本発明の実施例としての展示ケースを図面に基づいて説明する。図１は、本発明の展示ケースの正面図、図２は、中央縦断拡大正面図、図３は、図２のIII-III線に沿う縦断側面図、図４は、同じく図２のIV-IVに沿う横断平面図、図５は、同じくV-V線に沿う横断平面図である。
【００１６】
展示ケース１は、図１〜図５に示されるように、床面Ｆに設置され、周囲の４面が化粧パネル２等により覆われた基台３と、展示台４と、展示台４上に形成された展示空間５の周囲の４面を、ガラス等の透光性パネル６により覆ってなるケース本体７とを備え、ケース本体７の上面の開口部には、上蓋８が装着されている。
【００１７】
上記基台３は、外側基台９と、この内部に収容された内側基台１０とからなり、外側基台９は、平面視方形枠状をなす下部フレーム１１と、この下部フレーム１１における四隅部の上面に立設された４本の支柱１２と、これら４本の支柱１２の上端に固着された平面視前向きコ字状の上部フレーム１３と(図４参照)、前部と後部(以下図３及び図４の左方を前として説明する)の左右の支柱１２、１２における上方寄りの対向面同士を連結している前後１対の横杆１４、１４(図５参照)とからなり、４枚の化粧パネル２は、外側基台９を囲むようにして取り付けられている。
【００１８】
図３に２点鎖線で示すように、外側基台９の前面側の化粧パネル２は、その下端と下部フレーム１１の前端部下面とに取り付けた複数のヒンジ部材１５を中心として、前方に開くことができ、かつ裏面の上部の左右２箇所と、前部の横杆１４の両側部とに両端を係止したチェーン１６により、所定の開度で停止させ得るようになっている。前部の横杆１４の下部には、後記する第１、第２油圧シリンダ３２、３４を作動させる操作ユニット１７が設けられており、この前部側の化粧パネル２を開放することにより、操作ユニット１７を操作できるようになっている。
【００１９】
上記内側基台１０は、外側基台９の下部フレーム１１の上面に載置して固定されたベース板１８と、下端がベース板１８の上面の４箇所に固着され、かつ上端部が、前後の横杆１４、１４における両側部の対向面に固着されたアングル状の４本の支柱１９とからなっている。ベース板１８の四隅部の下面には、キャスタ２０と、高さ調節用のアジャスタ２１が取り付けられている。
【００２０】
上記展示台４は、図７に拡大して示すように、外側基台９内を上下方向に移動しうる大きさの水平をなす四方枠２２と、その上面に載設された方形の展示品載置板２３と、四方枠２２の下面に固着された下面板２４とからなっている。下面板２４の周縁には、先端が上向きに折曲されたフランジ片２４ａが、外向きに一体的に連設され、このフランジ片２４ａの上面には、内部が中空をなすシール部材２５の下面が、四方枠２２を囲むようにして固着されている。
【００２１】
尚、展示台４の四方枠２２の側面の一部は側方に開口（図示略）されており、該開口を介して、調湿材（図示略）等が四方枠２２の内部に収容されている。この開口は展示空間５と連通しているので、展示空間５の湿度が調湿材により調整されるようになっている。
【００２２】
図７に示すように、上記ケース本体７の下端部には、平面視方形の枠材２６が設けられ、この枠材２６の内面と外面に固着された枠状のパネル保持板２７、２７間に、４枚の透光性パネル６の下端部が、ゴム等のパッキン２８を介して挟入されている。内側のパネル保持板２７の内面には、上記展示品載置板２３と同じ板厚の上板２９を上面に有する平面視枠状の塞ぎ材３０が固着されている。この塞ぎ材３０は、詳細は後述するが、展示台４がケース本体７内の下部まで上昇した際に、展示台４の外周面とケース本体７の内周面との間に形成される隙間を少なくし、体裁をよくするためのものである。また、上記シール部材２５は、展示台４がケース本体７内の下端部まで上昇した際に、塞ぎ材３０の内周部の下面に当接し、ケース本体７の内周面と展示台４の外周面との間に形成される隙間を密封することにより、ケース本体７内の気密性を保持するためのものである。
【００２３】
図２、図３及び図５に示すように、外側基台９内の四隅部、すなわち下部フレーム１１を構成している左右の側杆１１ａ、１１ａの前後の端部と、上部フレーム１３を構成している左右の側杆１３ａ、１３ａの前後の端部との対向面には、上下方向を向く平面視Ｌ字状の４本のブラケット３１の上下両端が固着されており、各ブラケット３１には、上下方向を向くとともに、ピストンロッド３２ａを上方に向けた第１の油圧シリンダ３２が固定されている。各第１の油圧シリンダ３２のピストンロッド３２ａは、上部の側杆１３ａに穿設された上下方向を向く通孔３３を貫通して、上端が、ケース本体７における枠材２６と塞ぎ材３０の左右両側の前後両端部の下面に連結されている(図７参照)。
【００２４】
第１の油圧シリンダ３２が非作動状態にあるときには、ピストンロッド３２ａは最大限下方に縮退し、ケース本体７が、実質的に、外側基台９における上部フレーム１３の上面により支持されるようになっている。
【００２５】
図２及び図３に示すように、内側基台１０の四隅部に位置する４本の支柱１９には、上下方向を向く第２の油圧シリンダ３４が、ピストンロッド３４ａを上方に向けて固定され、各第２の油圧シリンダのピストンロッド３４ａの上端は、展示台４における四方枠２２の下面に固着された下面板２４の前後左右４箇所の下面に連結されている(図７参照)。各第２の油圧シリンダ３４が非作動状態にあるときには、ピストンロッド３４ａは、最大ストローク伸長した状態にロックされ、展示台４が、ケース本体７の下端部内に嵌挿される使用状態に保持されるようになっている。
【００２６】
各第１及び第２の油圧シリンダ３２、３４には、ベース板１８に載設された２個の電動式油圧モータ３５、３５より、油圧ホース３６を介して圧油が供給されたり、各シリンダ内の圧油が排出されたりするようになっている。
【００２７】
図８に拡大して示すように、上述した上蓋８は、外周部の平面視方形をなす枠体３７と、この枠体３７の内周面に連設された内部が中空をなすケース状の上蓋本体３８とを備え、内部には複数の発光ダイオード５０を有する照明器具３９が収容されている。枠体３７は、平面視方形の枠材４０と、その外面と内面に上端部が固着されたパネル保持板４１、４１とからなり、両パネル保持部材４１を、パッキン４２を介して、４枚の透光性パネル６の上端部に嵌合することにより、上蓋８は、ケース本体７の上面開口部を密閉するようにして載設されている。
【００２８】
上蓋本体３８の上面板３８ａは、枠材４０及びパネル保持部材４１の上面と同一面をなす第１の水平面４３と、この第１の水平面４３の内端から展示空間５の中央方向に向かって斜め上方に傾斜する傾斜面４４と、この傾斜面４４の内端と連続し、展示空間５の中央部と対応する位置に形成された第２の水平面４５とからなっている。
【００２９】
上蓋本体３８内の中央部には、第２の水平面４５と対応する内部を枠状の仕切板４３により仕切ることにより、照明器具３９の収容空間４６が形成されている。この収容空間４６と対応する上蓋本体３８の下面板３８ｂの中央部には、収容空間４６よりも若干小さな開口部４７が形成され、この開口部４７は、収容空間４６内において下面板３８ｂの上面に固定された透光板４８により塞がれている。
【００３０】
上記照明器具３９は、上面板３８ａにおける第２の水平面４５の下面に取り付けられた方形をなす基板４９に、白色発光ダイオード５０を多数組み付けたものよりなり、これを発光させることにより、展示空間５内が上方より照明される。基板４９に接続された、発光ダイオード５０に給電するための電源線５１は、次のようにして、ケース本体７の下方に配線されている。
【００３１】
図９の拡大断面図に示すように、互いに隣接する透光性パネル６の端部同士を、接着剤等の接合材５２により接合する際に、一つのコーナー部における透光性パネル６同士の端部間に、上下両端が開口する上下方向を向くパイプ５３を挟入し、このパイプ５３と共に透光性パネル６の端部同士を接合材５２により接合することにより、パイプ５３を接合材５２内に予め埋設しておく。
【００３２】
このパイプ５３内に、上記電源線５１を上方より挿入することにより、これを、ケース本体７の下方に向かって容易に、かつ目立つのを防止して体裁よく配線することができる。なお、このようなパイプ５３を用いないで、電源線５１が接合材５２の内部に埋設されるように、透光性パネル６の端部同士を接合材５２により接合するようにしてもよい。
【００３３】
上蓋８を上記のような形状とすると、見かけ上、上蓋本体３８の上下寸法が小さくなるので、上蓋８が目立ちにくくなり、かつ展示品を鑑賞する際の圧迫感も小さくなるので、展示ケース１の体裁が向上する。また、上蓋本体３８の上面板３８aにおける第２の水平面４５の下面に、発光ダイオード５０よりなる照明器具３９を取り付けているので、照明器具３９も目立たたなくなる。
【００３４】
次に、展示ケース１の使用例について説明する。図１ないし図３に示すように、展示ケース１が、その展示空間５に収容した展示品Ｓを鑑賞可能な使用状態にあるときには、第１及び第２の油圧シリンダ３２、３４の作動はなく、ケース本体７の下端は、外側基台９の上端に当接し、展示台４は、ケース本体７の下端部内に嵌挿されている。この際、上述したように、展示台４の四方枠２２を囲むようにして、下端部に設けたシール部材２５が、ケース本体７の下端部における塞ぎ材３０の内周部の下面に当接するようになっているため、ケース本体７内の気密性が確実に保持される。また、展示台４の外周面とケース本体７の内周面との間に形成される隙間は、塞ぎ材３０によりほぼ閉塞されているので、体裁がよい。
【００３５】
展示品Ｓを交換する際には、電気式油圧モータ３５を作動させて、各第１の油圧シリンダ３２に圧油を供給するとともに、各第２の油圧シリンダ３４の圧油を排出する。すると、図６に示すように、各第１の油圧シリンダ３２のピストンロッド３２ａが伸長することにより、ケース本体７が基台３に対し上昇させられる。
【００３６】
また同時に、各第２の油圧シリンダ３４のピストンロッド３４ａが下限まで縮退することにより、展示台４は、外側基台９内に向かって下降させられる。これにより、ケース本体７の下端と、展示台４の上面との間が大きく開放されるとともに、展示品Ｓは下方に移動して露呈する。
【００３７】
外側基台９の上部フレーム１３は、平面視前向きコ字状をなして前方に開口しているので、図３の２点鎖線で示すように、前面側の化粧パネル２を、下端を中心として前方に開くことにより、展示品Ｓを前方より取り出すことができ、かつ他の展示品との交換作業も容易に行うことができる。なお、展示品Ｓを交換した後、再度電気式油圧モータ３５を作動させ、第１の油圧シリンダ３２の圧油を排出するとともに、第２の油圧シリンダ３４に圧油を供給すれば、ケース本体７及び展示台４を使用状態に復帰させることができる。
【００３８】
以上説明したように、上記実施形態の展示ケース１においては、第１の油圧シリンダ３２により、ケース本体７を上昇させ、第２の油圧シリンダ３４により、展示台４を下降させて、展示台４とケース本体７の下端との間を大きく開放させうるようにしてあるので、ケース本体７内に高さの高い展示品Ｓを収容しても、これを、天井の高さ等に制約されることなく、容易に取り出して交換することができる。
【００３９】
なお、ケース本体７の最大上昇高さよりも低い展示品Ｓを展示し、かつ交換する際においては、展示台４を下降する必要がないので、第１の油圧シリンダ３２を作動させて、ケース本体７のみを昇降させればよい。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、展示台４がケース本体７内の下端部に嵌挿されるものとしたが、ケース本体７の下端と展示台４の上面とをほぼ同一面とし、この位置から展示台４が昇降するようにしてもよい。この際には、シール部材２５を、展示台４の四方枠２２の上端部に設けて、塞ぎ材３０の下面に接触するようにすればよい。
【００４２】
また、前記実施例では、シール部材２５を、展示台４側に設けているが、塞ぎ材３０の内周部の下面に、展示台４のフランジ片２４ａの上面と接触するように設けてもよい。
【００４３】
さらに、前面側の化粧パネル２は、着脱可能、または一側端部を中心として開閉可能に取り付けてもよい。
【図面の簡単な説明】
【００４４】
【図１】本発明の展示ケースの一実施形態の正面図である。
【図２】同じく、中央縦断拡大正面図である。
【図３】同じく、図２のIII-III線に沿う縦断側面図である。
【図４】同じく、IV-IV線に沿う横断平面図である。
【図５】同じく、V-V線に沿う横断平面図である。
【図６】ケース本体を上昇させ、展示台下降したときの中央縦断正面図である。
【図７】ケース本体の下端部と、展示台との詳細を示す拡大縦断正面図である。
【図８】上蓋の詳細を示す拡大縦断正面図である。
【図９】透光性パネル同士の接合部の拡大横断平面図である。
【符号の説明】
【００４５】
１    展示ケース
２    化粧パネル
３    基台
４    展示台
５    展示空間
６    透光性パネル
７    ケース本体
８    上蓋
９    外側基台
１０  内側基台
２５  シール部材
３０  塞ぎ材
３２  第１の油圧シリンダ（第１の昇降手段）
３４  第２の油圧シリンダ（第２の昇降手段）
３５  電動式油圧モータ
３８  上蓋本体
３９  照明器具
４０  枠材
４３  第１の水平面
４４  傾斜面
４５  第２の水平面
４６  収容空間
４７  開口部
５１  電源線
５２  接合材
５３  パイプ
Ｓ    展示品
【図１】
2010104612.tif 000003
【図２】
2010104612.tif 000004
【図３】
2010104612.tif 000005
【図４】
2010104612.tif 000006
【図５】
2010104612.tif 000007
【図６】
2010104612.tif 000008
【図７】
2010104612.tif 000009
【図８】
2010104612.tif 000010
【図９】
2010104612.tif 000011